(57)【要約】                                                                        【課題】笠木用の効果的な融雪設備。【解決手段】パラペット上面に取着したブラケット（笠木用固定金具）と、当該ブラケットに立設したサポート（支柱）を介しブラケットに所定傾斜で係止し挟着している笠木との空間において、パラペット上面に圧縮性のある断熱性肉厚材を載置し、さらに当該断熱性肉厚材の上面に、所要幅と長さの耐熱性ネット材を重ね合わせ、当該ネット材に繋束バンドを介して所要長さに連続している扁平な線状発熱材を所要列固定し、当該線状発熱材の表面上部に笠木の頂面内側が接するようにしてある。なお、断熱性肉厚材が積層成形したガラス繊維を層剥離で所定形状に作成したものからなり、耐熱性ネット材が劣化防止剤入りポリエチレンの金型成形体からなるプラスチック製の直交ネットであると好適である。【選択図】      図１
0003114673.tif 000002
【実用新案登録請求の範囲】
【請求項１】
パラペット上面に取着したブラケット（笠木用固定金具）と、当該ブラケットに立設したサポート（支柱）を介しブラケットに所定傾斜で係止し挟着している笠木との空間において、パラペット上面に圧縮性のある断熱性肉厚材を載置し、さらに当該断熱性肉厚材の上面に、所要幅と長さの耐熱性ネット材を重ね合わせ、当該ネット材に繋束バンドを介して所要長さに連続している扁平な線状発熱材を所要列固定し、当該線状発熱材の表面上部に笠木の頂面内側が接するようにしてある笠木用融雪設備。
【請求項２】
断熱性肉厚材が積層成形したガラス繊維を層剥離で所定形状に作成したものからなり、耐熱性ネット材がプラスチック製の直交ネットである請求項１記載の笠木用融雪設備。
【請求項３】
耐熱性ネット材が劣化防止剤入りポリエチレンの金型成形体からなる請求項１記載の笠木用融雪設備。
【考案の詳細な説明】
【技術分野】
【０００１】
本考案は笠木用融雪設備に関する。
【背景技術】
【０００２】
本来、笠木はパラペットの雨水漏れ防止のために採用されたものであるが、積雪により融雪が氷堤や氷柱を形成して落下の危険性を招きやすいので、融雪対策が種々おこなわれてきている。実用化されている笠木用融雪設備として、発砲ポリウレタン層に埋設した任意本数の線状ヒーターをブラケットに載置し笠木を被覆したものや、線状ヒーターに替え面ヒーターを用いたものもあり、また、笠木に替え石板で仕上げたものもある。しかしながら、笠木の長さには製作上の制限（数メートル）があるので、線状等ヒーターも笠木単位となり、そのために電源との接続箇所が頻繁となり煩雑である。しかも、ヒーターが故障した場合は発砲ポリウレタン層の解体を生じ、煩雑をまねきメンテナンス上の欠点がある。
【０００３】
従来の特許情報としては、特許文献１にパラペット部に固着され受具に取り付けられた断面コ字状の笠木キャップと、該笠木キャップの側板とパラペット部の側壁との間に形成される空隙内に設けられた発熱体と、該発熱体を笠木キャップの側板の内面に押しつけて固定させる発熱体固定具とを有する融雪笠木装置があるが、パラペット部上方の積雪への対応が欠けているので、該部の凍結雪の融雪効果が不充分で、風圧による落下の危険性が避けられない。また、特許文献２には、室内側に傾斜している笠木材の天板の中央部より室内側の裏面に発熱体を備え、笠木の該部のみを加熱するようにしているが、加熱されない笠木部分の積雪の対策がないので、凍結雪の落下危険性が未解決である。さらに、特許文献３では、パラペットに取着された固定金具と冠装掛止される笠木との間の空間で、受け材に嵌入した発熱体を笠木の裏面に接触させ、発熱体の下端に弾性体を敷設しておき、積雪時のみ発熱体に通電するとしているが、受け材底部の弾性体は微小なものであるから発熱体の押し上げ効果が微弱であり、笠木裏面に対する発熱体の接触面も微小であるから、融雪効果が得られにくい。
【特許文献１】特開平１１−２０１０
【特許文献２】特開平１１−１５９０８８
【特許文献３】特開平２０００−１７０３３４
【考案の開示】
【考案が解決しようとする課題】
【０００４】
本考案は効果的な笠木用融雪設備を提供せんとするものである。
【課題を解決するための手段】
【０００５】
ここにおいて本考案者は、パラペット上面に取着したブラケット（笠木用固定金具）と、当該ブラケットに立設したサポート（支柱）を介しブラケットに所定傾斜で係止し挟着している笠木との空間において、パラペット上面に圧縮性のある断熱性肉厚材を載置し、さらに当該断熱性肉厚材の上面に、所要幅と長さの耐熱性ネット材を重ね合わせ、当該ネット材に繋束バンドを介して所要長さに連続している扁平な線状発熱材を所要列固定し、当該線状発熱材の表面上部に笠木の頂面内側が接するようにしてある笠木用融雪設備を見出し、さらに、断熱性肉厚材が積層成形したガラス繊維を層剥離で所定形状に作成したものであると好適であることを見出すにいたった。
【考案の効果】
【０００６】
本考案による笠木用融雪設備は線状発熱材の長さに殆ど制限がないので、設備の設定が容易で経済的であり、笠木の融雪効果がよいので、融雪がパラペット内側の屋根面にあるルーフドレン（排水口）を経て流下するので、パラペットからの氷堤や氷柱の発生が全くなく安全で、広い屋上に適用しやすい。
【考案を実施するための最良の形態】
【０００７】
本考案の融雪笠木設備に使用するブラケットにはビスやボルト用の孔のほか、笠木の傾斜面を構成するためにサポートと称される支柱が立設されている。断熱性肉厚材は、圧縮性ならびにその回復力があり、耐熱性も良好であり、積層成形したマグ社のマグウール等を層剥離で傾斜面形状に作成して使用する。扁平な線状発熱材が笠木頂面内側によく接触するので融雪効果が得られやすい。耐熱性ネット材は劣化防止剤入りポリエチレン等プラスチックの金型成形による直交ネットが好適で、繋束バンド（ポリエチレン等からなる横溝入り細紐を小孔に挿通して縛れば戻らない仕組みのもの）を介して線状発熱材のずれ止めに使用される。線状発熱材はその横軸両端の銅の撚り線からなる母線導線を被覆して炭素材からなる導電性発熱抵抗体が懸架してあり、導電性発熱抵抗体を絶縁体が被覆し、それを銅線斜め交差編成のブレードで緊締被覆し、外層を耐熱ゴムの絶縁体で被覆してある。なお、線状発熱材としては、米国レイケム（Ｒａｙｃｈｅｍ）社のＨ６２２型が入手可能で好適である。表面の笠木は鉄、アルミニウム等の金属板でブラケットに冠装挟着して用いる。
【実施例１】
【０００８】
パラペットの形状に応じて線状発熱材の並列数や長さは多岐にわたる。融雪設備の主役たる断熱性肉厚材はたとえば、マグ社のマグウールで厚さ５ｃｍ、幅１７ｃｍ、長さ２５ｃｍの直方体に積層成形されたのもを笠木の傾斜に合うように層を剥離して使用する。また、前記内容の耐熱性ネット材は線状発熱材の設定位置に応じて所要幅のものを連続長で使用可能である。なお、供給熱量は積雪量と外気温度から設定されるが、通常１平方米当たり２５０Ｗで使用することが多い。
【産業上の利用可能性】
【０００９】
わが国における豪雪地帯での融雪対策は不可欠であり、本考案の笠木用融雪設備は設置が簡便なので広く使用されることが予測され、その供給産業も発展が見込まれる。
【図面の簡単な説明】
【００１０】
【図１】実施例による笠木用融雪設備を示す断面による説明図
【符号の説明】
【００１１】
１  断熱性肉厚材
２  耐熱性ネット材
３  扁平な線状発熱材
４  ブラケット
５  笠木
【図１】
0003114673.tif 000003
【手続補正書】
【提出日】平成17年7月19日(2005.7.19)
【手続補正１】
【補正対象書類名】実用新案登録請求の範囲
【補正対象項目名】請求項１
【補正方法】変更
【補正の内容】
【請求項１】
パラペット上面に取着したブラケット（笠木用固定金具）と、当該ブラケットに立設したサポート（支柱）を介しブラケットに所定傾斜で係止し挟着している笠木との空間において、パラペット上面に圧縮性のある断熱性肉厚材を載置し、さらに当該断熱性肉厚材の上面に、所要幅と長さの耐熱性ネット材を重ね合わせ、当該ネット材に結束バンドを介して所要長さに連続している扁平な線状発熱材を所要列固定し、当該線状発熱材の表面上部に笠木の頂面内側が接するようにしてある笠木用融雪設備。
【手続補正２】
【補正対象書類名】明細書
【補正対象項目名】０００７
【補正方法】変更
【補正の内容】
【０００７】
本考案の融雪笠木設備に使用するブラケットにはビスやボルト用の孔のほか、笠木の傾斜面を構成するためにサポートと称される支柱が立設されている。断熱性肉厚材は、圧縮性ならびにその回復力があり、耐熱性も良好であり、積層成形したマグ社のマグウール等を層剥離で傾斜面形状に作成して使用する。扁平な線状発熱材が笠木頂面内側によく接触するので融雪効果が得られやすい。耐熱性ネット材は劣化防止剤入りポリエチレン等プラスチックの金型成形による直交ネットが好適で、結束バンド（ポリエチレン等からなる横溝入り細紐を小孔に挿通して縛れば戻らない仕組みのもの）を介して線状発熱材のずれ止めに使用される。線状発熱材はその横軸両端の銅の撚り線からなる母線導線を被覆して炭素材からなる導電性発熱抵抗体が懸架してあり、導電性発熱抵抗体を絶縁体が被覆し、それを銅線斜め交差編成のブレードで緊締被覆し、外層を耐熱ゴムの絶縁体で被覆してある。なお、線状発熱材としては、米国レイケム（Ｒａｙｃｈｅｍ）社のＨ６２２型が入手可能で好適である。表面の笠木は鉄、アルミニウム等の金属板でブラケットに冠装挟着して用いる。